Podtech/llm-jp-corpus-v4-ja_patent huggingface dataset:
【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
７．５ｍＭを基準として定まる上限値を乳酸濃度が上回ったとき培養液中の乳酸の除去処理を実行すること、および２．５ｍＭを基準として定まる上限値をアンモニア濃度が上回ったとき前記培養液中のアンモニアの除去処理を実行することの少なくとも一方により、以下の条件（Ｉ）および条件（ＩＩ）の少なくとも一方を満たす培養液中で細胞を培養する工程を含むことを特徴とする細胞培養方法。
条件（Ｉ）：前記培養液中の乳酸濃度が７．５ｍＭ未満に維持される。
条件（ＩＩ）：前記培養液中のアンモニア濃度が２．５ｍＭ未満に維持される。
【請求項２】
前記条件（Ｉ）における乳酸濃度は、５ｍＭ以下である請求項１に記載の細胞培養方法。
【請求項３】
前記条件（ＩＩ）におけるアンモニア濃度は、１ｍＭ以下である請求項１または２に記載の細胞培養方法。
【請求項４】
細胞および培養液を収容する培養容器と、
７．５ｍＭを基準として定まる上限値を乳酸濃度が上回ったとき培養液中の乳酸の除去処理を実行すること、および２．５ｍＭを基準として定まる上限値をアンモニア濃度が上回ったとき前記培養液中のアンモニアの除去処理を実行することの少なくとも一方により、以下の条件（Ｉ）および条件（ＩＩ）の少なくとも一方を満たすように培養液を調整する調整部と、
を備えることを特徴とする細胞培養装置。
条件（Ｉ）：前記培養液中の乳酸濃度が７．５ｍＭ未満に維持される。
条件（ＩＩ）：前記培養液中のアンモニア濃度が２．５ｍＭ未満に維持される。
【請求項５】
前記調整部は、
補充液を貯蔵する貯蔵容器と、
前記貯蔵容器から前記培養容器へ前記補充液を送る供給ポンプと、
前記培養液中の乳酸濃度およびアンモニア濃度の少なくとも一方を検知する濃度センサと、
前記濃度センサの検知結果に基づいて前記供給ポンプを駆動する制御部と、
を備える請求項４に記載の細胞培養装置。
【請求項６】
前記調整部は、
物質交換膜および成分調整液を収容し、前記培養液が供給されることで前記物質交換膜を介して前記成分調整液と前記培養液との間で物質交換を行う物質交換器と、
前記培養容器と前記物質交換器との間で前記培養液を循環させる循環ポンプと、
前記培養液中の乳酸濃度およびアンモニア濃度の少なくとも一方を検知する濃度センサと、
前記濃度センサの検知結果に基づいて前記循環ポンプを駆動する制御部と、
を備える請求項４に記載の細胞培養装置。
【請求項７】
前記調整部は、
前記培養液中の乳酸およびアンモニアの少なくとも一方を吸着する吸着剤を備える請求項４に記載の細胞培養装置。
【手続補正２】
【補正対象書類名】明細書
【補正対象項目名】００６０
【補正方法】変更
【補正の内容】
【００６０】
また、好ましくは吸着剤３６は、ポリビニルアルコール等の樹脂、コラーゲンやアルギン酸、ゼラチン等の生体由来ゲル等で被覆される。これにより、細胞８等に影響を与え得る微粒子が吸着剤３６から培養液中に流出することを抑制することができる。あるいは、吸着剤３６は、セラミックスバインダー、樹脂バインダー、生体由来ゲル等と、吸着成分とを混練して成形される。これによっても、微粒子の流出を抑制することができる。セラミックスバインダーとしては、アルミナバインダー、コロイダルシリカ等が例示される。樹脂バインダーとしては、ポリビニルアルコール、カルボキシメチルセルロース等が例示される。生体由来ゲルとしては、コラーゲン、アルギン酸、ゼラチン等が例示される。
【手続補正３】
【補正対象書類名】明細書
【補正対象項目名】００７０
【補正方法】変更
【補正の内容】
【００７０】
また、RNeasy Mini Kit（ＱＩＡＧＥＮ社）を用いて、培養６日経過後の各細胞からｍＲＮＡを抽出し、精製した。続いて、QuantiTect Reverse Transcription Kit（ＱＩＡＧＥＮ社）を用いて、精製したｍＲＮＡからｃＤＮＡを合成した。これらのｃＤＮＡを鋳型とし、Thermal Cycler Dice Real Time System I（タカラバイオ社）を用いて、リアルタイムＰＣＲ法にてＯｃｔ４、Ｎａｎｏｇ、Ｔ、Ｐａｘ６およびＦｏｘ２の各遺伝子の発現量を測定した。
【手続補正４】
【補正対象書類名】明細書
【補正対象項目名】００７８
【補正方法】変更
【補正の内容】
【００７８】
また、RNeasy Mini Kit（ＱＩＡＧＥＮ社）を用いて、培養６日経過後の各細胞からｍＲＮＡを抽出し、精製した。続いて、QuantiTect Reverse Transcription Kit（ＱＩＡＧＥＮ社）を用いて、精製したｍＲＮＡからｃＤＮＡを合成した。これらのｃＤＮＡを鋳型とし、Thermal Cycler Dice Real Time System I（タカラバイオ社）を用いて、リアルタイムＰＣＲ法にてＯｃｔ４、Ｎａｎｏｇ、Ｔ、Ｐａｘ６およびＦｏｘ２の各遺伝子の発現量を測定した。
【手続補正書】
【提出日】令和3年6月1日(2021.6.1)
【手続補正１】
【補正対象書類名】特許請求の範囲
【補正対象項目名】全文
【補正方法】変更
【補正の内容】
【特許請求の範囲】
【請求項１】
５−ペンタコシルレゾルシノールを含む、サーチュインタンパク質活性化組成物。
【請求項２】
デンプン合成酵素ＩＩの発現量及び／又は活性が抑制された大麦の穀粒又はその粉砕物もしくは抽出物を含み、前記穀粒又はその粉砕物もしくは抽出物が５−ペンタコシルレゾルシノールを含む、請求項１に記載のサーチュインタンパク質活性化組成物。
【請求項３】
以下の測定条件において、クロマトグラムにおけるピークトップのカラム保持時間が２２．１〜２２．５分の間にあるフラクションであり、かつ、前記ピークトップのカラム保持時間に対して±０．４分の範囲のフラクションに含まれるアルキルレゾルシノールを含む、請求項１又は２に記載のサーチュインタンパク質活性化組成物。
〈測定条件〉
測定方法：逆相高速液体クロマトグラフィー
カラム：ＧＬ  ｓｃｉｅｎｃｅ社製Ｉｎｅｒｔｓｉｌ  ＯＤＳ４（充填剤の粒子径５μｍ、内径４．６ｍｍ×高さ２５０ｍｍ）
移動相（Ａ液）：水
移動相（Ｂ液）：メタノール
溶出グラジエント：０→５分（Ａ液：１１→８質量％、Ｂ液：８９→９２質量％）、５→３０分（Ａ液：８→０質量％、Ｂ液：９２→１００質量％）
流速：１．０ｍＬ／分
検出方法：ＵＶ（２７５ｎｍ）
注入量：１０μＬ
【請求項４】
請求項１〜３のいずれか１項に記載の組成物を含む、飲食品。
【請求項５】
請求項１〜３のいずれか１項に記載の組成物を含む、医薬品。
【請求項６】
請求項２又は３に記載の組成物を含む、老化抑制剤。
【請求項７】
デンプン合成酵素ＩＩの発現量及び／又は活性が抑制された大麦からアルキルレゾルシノールを抽出する工程を含む、アルキルレゾルシノールを製造する方法。
【請求項８】
アルキルレゾルシノールのアルキル鎖長が、Ｃ１９、Ｃ２１、Ｃ２３又はＣ２５である、請求項７に記載の製造方法。
【請求項９】
アルキルレゾルシノールのアルキル鎖長がＣ２５である、請求項８に記載の製造方法。
【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
人の腰部に巻付ける腰ベルトと、端部にフックを有し、柱状物に巻付ける胴綱と、前記腰ベルトが挿通され、前記胴綱のフックを係止可能な環状の係止環と、前記腰ベルトを幅方向で囲うように環状に形成された吊下げ部と、を備えた装着具に対し、前記吊下げ部を覆うように装着可能に構成され、
前記腰ベルトを挿通可能な挿通孔が、該腰ベルトの挿通方向に離間して対向するように一対形成された装着本体部を備え、
該装着本体部は、板状の本体部と、該本体部の長さ方向両端部のそれぞれに形成された一対の取付部とを備え、
前記本体部の板厚方向裏面側には、前記取付部が前記本体部の前記板厚方向裏面側に立ち上げられることによって、前記腰ベルトとの間に前記腰ベルトに吊り下げられた前記吊下げ部を通して覆うための凹部が形成され、
前記挿通孔は、前記取付部に形成されている、
胴綱と腰ベルトを含む装着具に装着可能な装着道具。
【請求項２】
前記本体部は、矩形に形成されて前記吊下げ部の表面を覆い、
前記一対の取付部は、前記吊下げ部における前記腰ベルトを挿通する挿通口を覆うように構成される、
請求項１に記載の装着道具。
【請求項３】
前記取付部は、
前記本体部の前記長さ方向端部から前記板厚方向裏面側に向けて長さ方向外向きに傾斜して延びる立上部と、
前記立上部の先端部から前記長さ方向に沿って延びる平部とを備え、
前記立上部は、前記長さ方向と前記板厚方向とに直交する幅方向での幅寸法が前記本体部に接続される一端部で前記本体部の前記幅方向での幅寸法と同じとなり且つ前記一端部側から先端側の他端部側になるにつれて小さくなるように形成され、
前記平部は、前記幅方向での幅寸法が前記立上部の前記他端部に接続される一端部で前記立上部の前記他端部の前記幅寸法と同じになるように形成される、
請求項１又は２に記載の装着道具。
【請求項４】
前記平部は、前記幅方向での幅寸法が前記一端部側から先端側の他端部側になるにつれて小さくなるように形成される、
請求項３に記載の装着道具。
【手続補正書】
【提出日】令和2年11月26日(2020.11.26)
【手続補正１】
【補正対象書類名】明細書
【補正対象項目名】０００７
【補正方法】変更
【補正の内容】
【０００７】
情報処理装置は、内視鏡画像を取得する画像取得部と、病変領域の内視鏡画像が入力された場合に疾病の診断基準に関する診断基準予測を出力する第１モデルに、前記画像取得部が取得した内視鏡画像を入力して、出力される診断基準予測を取得する第１取得部と、前記第１取得部が取得した診断基準予測を、前記内視鏡画像に基づいて取得した前記疾病の状態に関する診断予測と関連づけて出力する出力部とを備え、前記診断予測は、内視鏡画像が入力された場合に前記疾病が含まれる病変領域に関する領域予測を出力する第２モデルに、前記画像取得部が取得した内視鏡画像を入力して、出力された病変領域に関する領域予測であり、前記第１取得部は、前記画像取得部が取得した内視鏡画像のうち前記第２モデルから出力された領域予測に対応する部分を前記第１モデルに入力して、出力される診断基準予測を取得する。
【手続補正２】
【補正対象書類名】特許請求の範囲
【補正対象項目名】全文
【補正方法】変更
【補正の内容】
【特許請求の範囲】
【請求項１】
内視鏡画像を取得する画像取得部と、
病変領域の内視鏡画像が入力された場合に疾病の診断基準に関する診断基準予測を出力する第１モデルに、前記画像取得部が取得した内視鏡画像を入力して、出力される診断基準予測を取得する第１取得部と、
前記第１取得部が取得した診断基準予測を、前記内視鏡画像に基づいて取得した前記疾病の状態に関する診断予測と関連づけて出力する出力部とを備え、
前記診断予測は、内視鏡画像が入力された場合に前記疾病が含まれる病変領域に関する領域予測を出力する第２モデルに、前記画像取得部が取得した内視鏡画像を入力して、出力された病変領域に関する領域予測であり、
前記第１取得部は、前記画像取得部が取得した内視鏡画像のうち前記第２モデルから出
力された領域予測に対応する部分を前記第１モデルに入力して、出力される診断基準予測
を取得する
情報処理装置。
【請求項２】
前記第１取得部は、前記疾病の診断基準に含まれる複数の項目の診断基準予測をそれぞれ出力する複数の第１モデルからそれぞれの項目の診断基準予測を取得する
請求項１に記載の情報処理装置。
【請求項３】
前記第１モデルは、機械学習により生成された学習モデルである
請求項１または請求項２に記載の情報処理装置。
【請求項４】
前記第１モデルは、前記画像取得部が取得した内視鏡画像に基づいて算出した数値を出力する
請求項１または請求項２に記載の情報処理装置。
【請求項５】
前記第１取得部の動作停止指示を受け付ける第１受付部を備える
請求項１から請求項４のいずれか一つに記載の情報処理装置。
【請求項６】
前記第２モデルは、機械学習により生成された学習モデルである
請求項１から請求項５のいずれか一つに記載の情報処理装置。
【請求項７】
前記診断予測の取得を停止する指示を受け付ける第２受付部を備える
請求項１から請求項６のいずれか一つに記載の情報処理装置。
【請求項８】
前記出力部は、前記画像取得部が取得した内視鏡画像も出力する
請求項１から請求項７のいずれか一つに記載の情報処理装置。
【請求項９】
前記画像取得部は、内視鏡検査中に撮影された内視鏡画像をリアルタイムで取得し、
前記出力部は、前記画像取得部による内視鏡画像の取得と同期して出力を行なう
請求項１から請求項８のいずれか一つに記載の情報処理装置。
【請求項１０】
内視鏡が接続される内視鏡接続部と
前記内視鏡接続部に接続された内視鏡から取得した映像信号に基づいて内視鏡画像を生
成する画像生成部と、
病変領域の内視鏡画像が入力された場合に疾病の診断基準に関する診断基準予測を出力する第１モデルに、前記画像生成部が取得した内視鏡画像を入力して、出力される診断基準予測を取得する第１取得部と、
前記第１取得部が取得した診断基準予測を、前記内視鏡画像に基づいて取得した前記疾病の状態に関する診断予測と関連づけて出力する出力部とを備え、
前記診断予測は、内視鏡画像が入力された場合に前記疾病が含まれる病変領域に関する領域予測を出力する第２モデルに、前記画像生成部が生成した内視鏡画像を入力して、出力された病変領域に関する領域予測であり、
前記第１取得部は、前記画像生成部が生成した内視鏡画像のうち前記第２モデルから出
力された領域予測に対応する部分を前記第１モデルに入力して、出力される診断基準予測
を取得する
内視鏡用プロセッサ。
【請求項１１】
内視鏡画像を取得し、
内視鏡画像が入力された場合に疾病が含まれる病変領域に関する領域予測を出力する第２モデルに、取得した内視鏡画像を入力して、出力された病変領域に関する領域予測を取得し、
病変領域の内視鏡画像が入力された場合に前記疾病の診断基準に関する診断基準予測を出力する第１モデルに、取得した内視鏡画像のうち前記第２モデルから出力された領域予測に対応する部分を入力して、出力される診断基準予測を取得し、
取得した前記診断基準予測を、取得した前記領域予測と関連づけて出力する
処理をコンピュータに実行させる情報処理方法。
【請求項１２】
内視鏡画像を取得し、
内視鏡画像が入力された場合に疾病が含まれる病変領域に関する領域予測を出力する第２モデルに、取得した内視鏡画像を入力して、出力された病変領域に関する領域予測を取得し、
病変領域の内視鏡画像が入力された場合に前記疾病の診断基準に関する診断基準予測を出力する第１モデルに、取得した内視鏡画像のうち前記第２モデルから出力された領域予測に対応する部分を入力して、出力される診断基準予測を取得し、
取得した前記診断基準予測を、取得した前記領域予測と関連づけて出力する
処理をコンピュータに実行させるプログラム。
【手続補正書】
【提出日】令和2年11月26日(2020.11.26)
【手続補正１】
【補正対象書類名】明細書
【補正対象項目名】発明の名称
【補正方法】変更
【補正の内容】
【発明の名称】モデルの生成方法、教師データの生成方法、および、プログラム
【手続補正２】
【補正対象書類名】明細書
【補正対象項目名】０００１
【補正方法】変更
【補正の内容】
【０００１】
本発明は、モデルの生成方法、教師データの生成方法、および、プログラムに関する。
【手続補正３】
【補正対象書類名】明細書
【補正対象項目名】０００７
【補正方法】変更
【補正の内容】
【０００７】
モデルの生成方法は、内視鏡画像と、疾病の状態に関する診断結果と、前記疾病の診断に用いられる診断基準について判定された判定結果とを関連づけて記録した複数の組の教師データを取得し、前記教師データを用いて、内視鏡画像が入力された場合に診断基準について予測した診断基準予測を出力する第１モデルと、内視鏡画像が入力された場合に診断結果について予測した診断予測を出力する第２モデルとを生成する。
【手続補正４】
【補正対象書類名】特許請求の範囲
【補正対象項目名】全文
【補正方法】変更
【補正の内容】
【特許請求の範囲】
【請求項１】
内視鏡画像と、疾病の状態に関する診断結果と、前記疾病の診断に用いられる診断基準について判定された判定結果とを関連づけて記録した複数の組の教師データを取得し、
前記教師データを用いて、内視鏡画像が入力された場合に診断基準について予測した診断基準予測を出力する第１モデルと、内視鏡画像が入力された場合に診断結果について予測した診断予測を出力する第２モデルとを生成する
モデルの生成方法。
【請求項２】
前記教師データは、前記診断基準に含まれる複数の診断基準項目のそれぞれについて判定した判定結果を含み、
前記第１モデルは、複数の前記診断基準項目のそれぞれに対応して生成される
請求項１に記載のモデルの生成方法。
【請求項３】
前記第１モデルは、取得した内視鏡画像が入力層に入力された場合に、取得した判定結果が出力層から出力されるように中間層のパラメータを調整する深層学習により生成される
請求項１または請求項２に記載のモデルの生成方法。
【請求項４】
前記第２モデルはニューラルネットワークモデルであり、
前記第１モデルは、
前記ニューラルネットワークモデルに、取得した教師データ中の内視鏡画像を入力し、
前記ニューラルネットワークモデルの中間層を構成するノードから、入力した内視鏡画像に関する複数の特徴量を取得し、
取得した複数の特徴量から、前記内視鏡画像に関連づけられた判定結果との相関が高い特徴量を選択し、
選択した特徴量と、前記判定結果を数値化したスコアとの回帰分析により、選択した特徴量に基づいて前記スコアを算出する計算方法を定めることにより生成する
請求項１または請求項２に記載のモデルの生成方法。
【請求項５】
前記第１モデルは、
取得した内視鏡画像から複数の特徴量を抽出し、
抽出した複数の特徴量から、前記内視鏡画像に関連づけられた判定結果との相関が高い特徴量を選択し、
選択した特徴量と、前記判定結果を数値化したスコアとの回帰分析により、選択した特徴量に基づいて前記スコアを算出する計算方法を定めることにより生成する
請求項１または請求項２に記載のモデルの生成方法。
【請求項６】
前記疾病は、潰瘍性大腸炎であり、
前記診断基準予測は、内視鏡画像の赤み、血管透見、または、潰瘍の重症度に関する予測である
請求項１から請求項５のいずれか一つに記載のモデルの生成方法。
【請求項７】
複数の内視鏡画像を順次表示し、
表示した前記内視鏡画像に対応する疾病の状態に関する診断結果と、前記疾病の診断に用いられる診断基準について判定された判定結果とを取得し、
複数の前記内視鏡画像のそれぞれについて、前記診断結果および前記判定結果を関連づけて記録する
教師データの生成方法。
【請求項８】
内視鏡画像と、疾病の状態に関する診断結果と、前記疾病の診断に用いられる診断基準について判定された判定結果とを関連づけて記録した複数の組の教師データを取得し、
内視鏡画像が入力された場合に前記診断結果に関する診断予測を出力するニューラルネットワークモデルに、取得した教師データ中の内視鏡画像を入力し、
前記ニューラルネットワークモデルの中間層を構成するノードから、入力した内視鏡画像に関する複数の特徴量を取得し、
取得した複数の特徴量を、入力した内視鏡画像に関連づけられた判定結果を数値化したスコアと関連づけて記録し、
記録した複数の特徴量のそれぞれと前記スコアとの相関に基づいて、前記スコアとの相関が高い特徴量を選択し、
選択した特徴量と、前記スコアとの回帰分析により、選択した特徴量に基づいて前記スコアを算出する計算方法を定めることにより、内視鏡画像が入力された場合に前記疾病の診断基準について予測した診断基準予測を出力する第１モデルを生成する
処理をコンピュータに実行させるプログラム。
【手続補正書】
【提出日】令和2年11月26日(2020.11.26)
【手続補正１】
【補正対象書類名】明細書
【補正対象項目名】０００７
【補正方法】変更
【補正の内容】
【０００７】
情報処理装置は、内視鏡画像を取得する画像取得部と、内視鏡画像が入力された場合に疾病の診断基準に関する複数の項目の診断基準予測をそれぞれ出力する複数の第１モデルに、前記画像取得部が取得した内視鏡画像をそれぞれ入力して、それぞれの第１モデルから出力されるそれぞれの項目の診断基準予測を取得する第１取得部と、複数の前記項目から、選択項目を受け付ける受付部と、前記内視鏡画像から、前記受付部が受け付けた選択項目に関する前記診断基準予測に影響を及ぼした領域を抽出する抽出部と、前記第１取得部が取得した診断基準予測と、前記抽出部が抽出した領域を示す指標と、前記内視鏡画像に基づいて取得した前記疾病の状態に関する診断予測とを関連づけて出力する出力部とを備える。
【手続補正２】
【補正対象書類名】特許請求の範囲
【補正対象項目名】全文
【補正方法】変更
【補正の内容】
【特許請求の範囲】
【請求項１】
内視鏡画像を取得する画像取得部と、
内視鏡画像が入力された場合に疾病の診断基準に関する複数の項目の診断基準予測をそれぞれ出力する複数の第１モデルに、前記画像取得部が取得した内視鏡画像をそれぞれ入力して、それぞれの第１モデルから出力されるそれぞれの項目の診断基準予測を取得する第１取得部と、
複数の前記項目から、選択項目を受け付ける受付部と、
前記内視鏡画像から、前記受付部が受け付けた選択項目に関する前記診断基準予測に影響を及ぼした領域を抽出する抽出部と、
前記第１取得部が取得した診断基準予測と、前記抽出部が抽出した領域を示す指標と、前記内視鏡画像に基づいて取得した前記疾病の状態に関する診断予測とを関連づけて出力する出力部と
を備える情報処理装置。
【請求項２】
前記出力部は、前記内視鏡画像と、前記指標とを並べて出力する
請求項１に記載の情報処理装置。
【請求項３】
前記出力部は、前記内視鏡画像と、前記指標とを重ねて出力する
請求項１に記載の情報処理装置。
【請求項４】
前記抽出部の動作停止指示を受け付ける停止受付部を備える
請求項１から請求項３のいずれか一つに記載の情報処理装置。
【請求項５】
内視鏡画像が入力された場合に前記疾病の診断予測を出力する第２モデルに、前記画像取得部が取得した内視鏡画像を入力して、出力される診断予測を取得する第２取得部を備え、
前記出力部は、前記第２取得部が取得した診断基準予測と、前記第１取得部が取得した診断予測と、前記指標とを出力する
請求項１から請求項４のいずれか一つに記載の情報処理装置。
【請求項６】
内視鏡が接続される内視鏡接続部と
前記内視鏡接続部に接続された内視鏡から取得した映像信号に基づいて内視鏡画像を生成する画像生成部と、
内視鏡から取得した映像信号が入力された場合に疾病の診断基準に関する複数の項目の診断基準予測をそれぞれ出力する複数の第１モデルに、前記内視鏡から取得した映像信号をそれぞれ入力して、それぞれの第１モデルから出力されるそれぞれの項目の診断基準予測を取得する第１取得部と、
複数の前記項目から、選択項目を受け付ける受付部と、
前記内視鏡画像から、前記受付部が受け付けた選択項目に関する前記診断基準予測に影響を及ぼした領域を抽出する抽出部と、
前記第１取得部が取得した診断基準予測と、前記抽出部が抽出した領域を示す指標と、前記内視鏡画像に基づいて取得した前記疾病の状態に関する診断予測とを関連づけて出力する出力部と
を備える内視鏡用プロセッサ。
【請求項７】
内視鏡画像を取得し、
内視鏡画像が入力された場合に疾病の診断基準に関する複数の項目の診断基準予測をそれぞれ出力する複数の第１モデルに、取得した内視鏡画像をそれぞれ入力して、それぞれの第１モデルから出力されるそれぞれの項目の診断基準予測を取得し、
複数の前記項目から、選択項目を受け付け、
前記内視鏡画像から、受け付けた選択項目に関する前記診断基準予測に影響を及ぼした領域を抽出し、
取得した診断基準予測と、抽出した領域を示す指標と、前記内視鏡画像に基づいて取得した前記疾病の状態に関する診断予測とを関連づけて出力する
処理をコンピュータに実行させる情報処理方法。
【請求項８】
内視鏡画像を取得し、
内視鏡画像が入力された場合に疾病の診断基準に関する複数の項目の診断基準予測をそれぞれ出力する複数の第１モデルに、取得した内視鏡画像をそれぞれ入力して、それぞれの第１モデルから出力されるそれぞれの項目の診断基準予測を取得し、
複数の前記項目から、選択項目を受け付け、
前記内視鏡画像から、受け付けた選択項目に関する前記診断基準予測に影響を及ぼした領域を抽出し、
取得した診断基準予測と、抽出した領域を示す指標と、前記内視鏡画像に基づいて取得した前記疾病の状態に関する診断予測とを関連づけて出力する
処理をコンピュータに実行させるプログラム。
【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
取得条件の成立に基づいて情報を取得可能な取得手段と、
その取得手段により取得された前記情報が記憶される記憶手段と、
その記憶手段に記憶された前記情報に基づいて判定を実行する判定手段と、
その判定手段による判定結果を示すための識別情報を所定期間、表示手段に動的表示させることが可能な動的表示手段と、
前記表示手段に特定の前記判定結果を示すための識別情報が停止表示された場合に遊技者に有利となる特典遊技を実行することが可能な特典遊技実行手段と、を有した遊技機において、
前記判定手段により判定される前の前記記憶手段に記憶されている前記情報のそれぞれに対応する識別図柄を前記表示手段に表示させることが可能な図柄表示手段と、
前記識別図柄が表示される領域であることを示す領域情報を前記表示手段に表示させることが可能な領域情報表示手段と、を有し、
前記領域情報表示手段は、前記記憶手段に前記情報が記憶されたことにより所定条件を満たした場合に、前記領域情報を可変させて、その記憶された前記情報に対応する前記識別情報が前記動的表示された後に前記停止表示されたことに基づいて、前記領域情報を前記可変される前の状態に戻すことが可能であることを特徴とする遊技機。
【請求項２】
音声を出力可能な音声出力手段を備えることを特徴とする請求項１記載の遊技機。
【手続補正２】
【補正対象書類名】明細書
【補正対象項目名】０００６
【補正方法】変更
【補正の内容】
【０００６】
この目的を達成するために本発明の遊技機は、取得条件の成立に基づいて情報を取得可能な取得手段と、その取得手段により取得された前記情報が記憶される記憶手段と、その記憶手段に記憶された前記情報に基づいて判定を実行する判定手段と、その判定手段による判定結果を示すための識別情報を所定期間、表示手段に動的表示させることが可能な動的表示手段と、前記表示手段に特定の前記判定結果を示すための識別情報が停止表示された場合に遊技者に有利となる特典遊技を実行することが可能な特典遊技実行手段と、を有し、前記判定手段により判定される前の前記記憶手段に記憶されている前記情報のそれぞれに対応する識別図柄を前記表示手段に表示させることが可能な図柄表示手段と、前記識別図柄が表示される領域であることを示す領域情報を前記表示手段に表示させることが可能な領域情報表示手段と、を有し、前記領域情報表示手段は、前記記憶手段に前記情報が記憶されたことにより所定条件を満たした場合に、前記領域情報を可変させて、その記憶された前記情報に対応する前記識別情報が前記動的表示された後に前記停止表示されたことに基づいて、前記領域情報を前記可変される前の状態に戻すことが可能である。
【手続補正３】
【補正対象書類名】明細書
【補正対象項目名】０００７
【補正方法】変更
【補正の内容】
【０００７】
本発明の遊技機によれば、取得条件の成立に基づいて情報を取得可能な取得手段と、その取得手段により取得された前記情報が記憶される記憶手段と、その記憶手段に記憶された前記情報に基づいて判定を実行する判定手段と、その判定手段による判定結果を示すための識別情報を所定期間、表示手段に動的表示させることが可能な動的表示手段と、前記表示手段に特定の前記判定結果を示すための識別情報が停止表示された場合に遊技者に有利となる特典遊技を実行することが可能な特典遊技実行手段と、を有し、前記判定手段により判定される前の前記記憶手段に記憶されている前記情報のそれぞれに対応する識別図柄を前記表示手段に表示させることが可能な図柄表示手段と、前記識別図柄が表示される領域であることを示す領域情報を前記表示手段に表示させることが可能な領域情報表示手段と、を有し、前記領域情報表示手段は、前記記憶手段に前記情報が記憶されたことにより所定条件を満たした場合に、前記領域情報を可変させて、その記憶された前記情報に対応する前記識別情報が前記動的表示された後に前記停止表示されたことに基づいて、前記領域情報を前記可変される前の状態に戻すことが可能である。
【手続補正４】
【補正対象書類名】明細書
【補正対象項目名】２９０５
【補正方法】変更
【補正の内容】
【２９０５】
１０                        パチンコ機（遊技機）
８１                        第３図柄表示装置（表示手段）
１１４                      表示制御処理（図柄表示手段、領域情報表示手段）
２０３ａ                    特別図柄１保留球格納エリア（記憶手段）
２０３ｂ                    特別図柄２保留球格納エリア（記憶手段）
２２６ 音声出力装置（音声出力手段）
Ｓ４０５，Ｓ５０５          判定手段
Ｓ４１０，Ｓ５１０ 動的表示手段
Ｓ６０２，Ｓ６１０          取得手段
Ｓ１１０４                  特典遊技実行手段
【手続補正書】
【提出日】令和3年8月13日(2021.8.13)
【手続補正１】
【補正対象書類名】特許請求の範囲
【補正対象項目名】全文
【補正方法】変更
【補正の内容】
【特許請求の範囲】
【請求項１】
ユーザ端末で実行されるゲームの進行を管理する情報処理装置であって、
前記ユーザ端末への入力情報及び、ユーザの起床時間を取得する取得部と、
前記入力情報に対応した前記ゲームに関する処理を、前記入力情報の取得時に実行せず、前記起床時間を取得したことに応じて実行する処理部と、
を備える情報処理装置。
【請求項２】
前記処理部は、前記入力情報が取得された時間が、ユーザが睡眠をとるべき時間帯に含まれる場合、前記入力情報に対応した前記ゲームに関する処理を、前記入力情報の取得時に実行しない、請求項１に記載の情報処理装置。
【請求項３】
前記処理部は、取得した前記起床時間が、ユーザが活動を始める時間帯に含まれる場合、前記入力情報に対応した処理を実行し、取得した前記起床時間が、ユーザが活動を始める時間帯に含まれない場合、前記入力情報に対応した処理を実行しない、請求項１または請求項２に記載の情報処理装置。
【請求項４】
ユーザ端末で実行されるゲームの進行を管理するプログラムであって、コンピュータを、
前記ユーザ端末への入力情報及び、ユーザの起床時間を取得する取得部と、
前記入力情報に対応した前記ゲームに関する処理を、前記入力情報の取得時に実行せず、前記起床時間を取得したことに応じて実行する処理部として、
機能させるプログラム。
【請求項５】
ユーザ端末で実行されるゲームの進行を管理する方法であって、
前記ユーザ端末への入力情報及び、ユーザの起床時間を取得するステップと、
前記入力情報に対応した前記ゲームに関する処理を、前記入力情報の取得時に実行せず、前記起床時間を取得したことに応じて実行するステップと、
を備える方法。
【請求項６】
ユーザ端末で実行されるゲームの進行を管理する情報処理装置と、ユーザ端末とが、ネットワークを介して接続されたゲームシステムであって、
前記情報処理装置は、
前記ユーザ端末への入力情報及び、ユーザの起床時間を取得する取得部と、
前記入力情報に対応した前記ゲームに関する処理を、前記入力情報の取得時に実行せず、前記起床時間を取得したことに応じて実行する処理部と、
を含む、ゲームシステム。
【請求項７】
ゲームを実行する情報処理端末であって、
ユーザから入力される入力情報及び、ユーザの起床時間を取得する取得部と、
前記入力情報に対応した前記ゲームに関する処理を、前記入力情報の取得時に実行せず、前記起床時間を取得したことに応じて実行する処理部と、
を備える情報処理端末。
【手続補正書】
【提出日】令和3年11月11日(2021.11.11)
【手続補正１】
【補正対象書類名】特許請求の範囲
【補正対象項目名】全文
【補正方法】変更
【補正の内容】
【特許請求の範囲】
【請求項１】
被検眼に測定光束を導光する光学部材であって、前記測定光束が通過する左眼用光路と右眼用光路で兼用され、前記光学部材の光軸が、前記左眼用光路の光軸及び前記右眼用光路の光軸に対して偏心するように配置される光学部材と、
前記測定光束を、前記光学部材を介して前記被検眼の眼底に投光する投光光学系と、
前記測定光束が前記眼底にて反射された反射光束を、前記光学部材を介して受光する受光光学系と、
を有し、前記被検眼の光学特性を他覚的に測定する眼科装置であって、
前記被検眼の瞳共役位置とは異なる位置に配置され、前記測定光束が前記光学部材を介することにより生じる瞳上の測定領域の歪みを補正する補正部材を備えることを特徴とする眼科装置。
【請求項２】
請求項１の眼科装置において、
前記補正部材は、前記被検眼の眼底共役位置または該眼底共役位置の近傍に配置されることを特徴とする眼科装置。
【請求項３】
請求項１または２のいずれかの眼科装置において、
前記補正部材は、前記瞳上の測定領域が、前記瞳上の平面における縦方向及び横方向の比率が同一となるように配置されることを特徴とする眼科装置。
【請求項４】
請求項１〜３のいずれかの眼科装置において、
前記投光光学系の光路と、前記受光光学系の光路と、の一部は共通しており、
前記補正部材は、前記投光光学系と前記受光光学系との共通光路に配置されることを特徴とする眼科装置。
【請求項５】
請求項１〜３のいずれかの眼科装置において、
前記投光光学系の光路と、前記受光光学系の光路と、の一部は共通しており、
前記投光光学系と前記受光光学系との共通光路には、前記測定光束を回転させるための光束偏向手段が、前記瞳共役位置から外れた位置に配置され、
前記補正部材は、前記眼底共役位置、または、前記光束偏向部材と前記眼底共役位置との間に配置されることを特徴とする眼科装置。
【手続補正書】
【提出日】令和3年11月11日(2021.11.11)
【手続補正１】
【補正対象書類名】特許請求の範囲
【補正対象項目名】全文
【補正方法】変更
【補正の内容】
【特許請求の範囲】
【請求項１】
被検者の被検眼を検査するための検眼システムであって、
前記被検眼を検査する検眼装置と、
前記被検者及び前記検眼装置を含む検査室を撮影する撮影手段と、
前記検眼装置を操作するための操作画面及び前記撮影手段により撮影された撮影画像を表示する表示手段と、前記表示手段の表示を制御して、前記表示手段に前記操作画面及び前記撮影画像を表示させる表示制御手段と、を有し、前記表示手段に表示された前記撮影画像を観察することで、前記被検者を検査位置まで誘導可能とする遠隔操作手段と、
を備えることを特徴とする検眼システム。
【請求項２】
請求項１の検眼システムにおいて、
前記表示制御手段は、前記操作画面と前記撮影画像とを、前記表示手段の同一画面上に表示させることを特徴とする検眼システム。
【請求項３】
請求項１または２の検眼システムにおいて、
前記操作画面と前記撮影画像とを切り換えるための切換信号を取得する信号取得手段を備え、
前記表示制御手段は、前記切換信号に基づいて、前記操作画面と前記撮影画像とを、前記表示手段の画面上に切り換えて表示させることを特徴とする検眼システム。
【請求項４】
被検者の被検眼を検査するための検眼システムにおいて実行される検眼プログラムであって、
前記検眼システムにおけるプロセッサによって実行されることで、
前記被検者及び前記検眼装置を含む検査室を撮影する撮影ステップと、
前記検眼装置を操作するための操作画面及び前記撮影手段により撮影された撮影画像を、前記遠隔操作手段が有する表示手段に表示させる表示制御ステップと、
前記表示手段に表示された前記撮影画像を観察することで、前記被検者を検査位置まで誘導可能とする遠隔操作ステップと、
を前記検眼システムにおいて実行させることを特徴とする検眼プログラム。
【請求項５】
被検者の被検眼を検査する検眼装置であって、
前記検眼装置を含む検査室の撮影画像を取得する取得手段と、
前記撮影画像及び前記検眼装置を操作するための操作画面を表示する表示手段と、
前記表示手段の表示を制御する表示制御手段と、
を備え、
前記表示制御手段は、前記撮影画像と前記操作画面を前記表示手段に表示し、
前記表示手段に表示された前記撮影画像を用いて、前記被検者を検査位置まで誘導可能とすることを特徴とする検眼装置。
【請求項６】
被検者の被検眼を検査するための検査室であって、
前記被検眼を検査する検眼装置と、
前記被検者及び前記検眼装置を含む前記検査室を撮影する撮影手段と、
を備え、
前記撮影手段は、前記検査室の上方に配置され、前記被検者及び前記検眼装置を含む前記検査室を撮影可能とすることを特徴とする検査室。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
複数段階設けられた設定値のいずれかが登録設定値として記憶される記憶部と、
前記登録設定値に応じて遊技の進行を制御する遊技制御部と、
複数設けられた内部モードに応じて、前記記憶部に特定の前記登録設定値が記憶されていること、および、前記登録設定値の変更有無の少なくともいずれかを示唆する示唆演出を実行可能な演出実行部と、
を備える遊技機。
【請求項２】
所定条件にしたがって前記内部モードを設定する内部モード設定部を備え、
前記内部モード設定部は、
遊技の進行状態の変更前後で同一の前記内部モードを維持し得る請求項１に記載の遊技機。
【請求項３】
前記演出実行部は、
設定中の前記内部モードに応じた比率で、前記示唆演出の実行有無または実行パターンを決定する請求項１または２に記載の遊技機。
【手続補正２】
【補正対象書類名】明細書
【補正対象項目名】０００６
【補正方法】変更
【補正の内容】
【０００６】
上記課題を解決するために、本発明の遊技機は、複数段階設けられた設定値のいずれかが登録設定値として記憶される記憶部と、前記登録設定値に応じて遊技の進行を制御する遊技制御部と、複数設けられた内部モードに応じて、前記記憶部に特定の前記登録設定値が記憶されていること、および、前記登録設定値の変更有無の少なくともいずれかを示唆する示唆演出を実行可能な演出実行部と、を備える。
【手続補正書】
【提出日】令和3年11月11日(2021.11.11)
【手続補正１】
【補正対象書類名】特許請求の範囲
【補正対象項目名】全文
【補正方法】変更
【補正の内容】
【特許請求の範囲】
【請求項１】
被検者の被検眼を検査するための検眼システムであって、
前記被検眼を検査する検眼装置と、
前記検眼装置の筐体または当該検眼装置の付近に設けられ、前記検眼装置を操作する第１操作部と、
前記検眼装置から離れた場所に設けられ、前記検眼装置を操作する第２操作部と、
前記第１操作部から入力される第１操作信号に、前記検眼装置における第１動作を割り当てる第１設定手段と、
前記第２操作部から入力される第２操作信号に、前記検眼装置における第２動作を割り当てる第２設定手段と、
を備えることを特徴とする検眼システム。
【請求項２】
請求項１の検眼システムにおいて、
前記第１操作信号と、前記第２操作信号と、のいずれか一方の操作信号による前記検眼装置の動作が実行されている際には、他方の操作信号による前記検眼装置の動作の実行を禁止する動作制御手段を備えることを特徴とする検眼システム。
【請求項３】
請求項１または２の検眼システムにおいて、
前記検眼装置は、
前記被検眼の眼底を撮影する眼底撮影手段を備え、
前記第１設定手段と前記第２設定手段との少なくともいずれかは、操作信号に、前記眼底撮影手段による撮影を開始させるための動作を割り当てることを特徴とする検眼システム。
【請求項４】
被検者の被検眼を検査するための検眼システムにおいて実行される検眼プログラムであって、
前記検眼システムにおけるプロセッサによって実行されることで、
前記第１操作部から入力される第１操作信号に、前記検眼装置における第１動作を割り当てる第１設定ステップと、
前記第２操作部から入力される第２操作信号に、前記検眼装置における第２動作を割り当てる第２設定ステップと、
を前記検眼システムにおいて実行させることを特徴とする検眼プログラム。
【請求項５】
被検者の被検眼を検査する検眼装置であって、
前記検眼装置の筐体または当該検眼装置の付近に設けられ、前記検眼装置を操作する第１操作部と、
前記第１操作部から入力される第１操作信号に、前記検眼装置における第１動作を割り当てる第１設定手段と、
前記検眼装置から離れた場所に設けられ、前記検眼装置を操作する第２操作部から入力される第２操作信号に、前記検眼装置における第２動作を割り当てる第２設定手段と、
を備えることを特徴とする検眼装置。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
特典区間において所定の特典が得られる遊技機であって、
複数段階設けられた設定値のいずれかが登録設定値として記憶される記憶部と、
前記登録設定値に応じて遊技の進行を制御する遊技制御部と、
前記記憶部に特定の前記登録設定値が記憶されていること、および、前記登録設定値の変更有無の少なくともいずれかを示唆する示唆演出を実行可能な演出実行部と、
を備え、
前記特典区間の終了後の特定区間において、前記特定区間ではない所定の区間よりも、前記示唆演出が実行される確率または頻度が高くなり得ることを特徴とする遊技機。
【請求項２】
内部モードを設定する内部モード設定部を備え、
前記内部モード設定部は、前記特定区間において、前記内部モードとして特定内部モードを設定可能であり、
前記演出実行部は、
設定中の前記内部モードに応じた比率で、前記示唆演出の実行有無または実行パターンを決定し、
前記特定内部モードに設定されている場合には、他の所定の内部モードに設定されている場合よりも、前記示唆演出の実行を高確率で決定することを特徴とする請求項１に記載の遊技機。
【手続補正２】
【補正対象書類名】明細書
【補正対象項目名】０００６
【補正方法】変更
【補正の内容】
【０００６】
上記課題を解決するために、本発明の遊技機は、特典区間において所定の特典が得られる遊技機であって、複数段階設けられた設定値のいずれかが登録設定値として記憶される記憶部と、前記登録設定値に応じて遊技の進行を制御する遊技制御部と、前記記憶部に特定の前記登録設定値が記憶されていること、および、前記登録設定値の変更有無の少なくともいずれかを示唆する示唆演出を実行可能な演出実行部と、を備え、前記特典区間の終了後の特定区間において、前記特定区間ではない所定の区間よりも、前記示唆演出が実行される確率または頻度が高くなり得ることを特徴とする。
【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
当否判定の当選確率の異なる複数の設定値が設けられており、外部からの指示により前記設定値のうちのいずれかを現在の設定値として選択可能な弾球遊技機であって、
遊技球が遊技領域に設けられた始動領域に進入すると、前記現在の設定値に応じた前記当選確率で前記当否判定を行う当否判定手段と、
前記当否判定での当選に起因して、複数のラウンドにわたって大入賞口を開放させる特別遊技を行う特別遊技手段と、
予め定められた特典条件が充足されると、前記特別遊技の終了後に、遊技者に有利な特典状態に移行する移行手段と、
演出を行うことで、前記当否判定の結果を示唆する演出手段と、を備え、
前記演出が行われた際に、当該演出により結果が示唆される前記当否判定で当選することを信頼できる度合いを、信頼度とし、
前記演出手段は、前記演出として特別演出を行い、
前記特別演出とは、所定のタイミングで実行されるものであり、前記特別演出が実行された場合は、該特別演出が実行されなかった場合よりも前記信頼度が高く、
前記特別演出にて結果が示唆される前記当否判定で当選した場合に、該当選に起因して行われる前記特別遊技の後に前記特典状態に移行する確率は、前記特別演出にて結果が示唆されること無く前記当否判定で当選した場合に、該当選に起因して行われる前記特別遊技の後に前記特典状態に移行する確率よりも高く、
予め定められた閾値を上回る前記当選確率の前記設定値である高設定値と、前記閾値を下回る前記当選確率の前記設定値である低設定値とが設けられており、
前記高設定値が前記現在の設定値である場合に行われる前記特別演出の前記信頼度は、前記低設定値が前記現在の設定値である場合に行われる前記特別演出の前記信頼度よりも低い、
を特徴とする弾球遊技機。
【手続補正２】
【補正対象書類名】明細書
【補正対象項目名】０００６
【補正方法】変更
【補正の内容】
【０００６】
また、演出が行われた際に、当該演出により結果が示唆される当否判定で当選することを信頼できる度合いを、信頼度とする。特別演出とは、所定のタイミングで実行されるものであり、前記特別演出が実行された場合は、該特別演出が実行されなかった場合よりも前記信頼度が高い。また、演出手段は、演出として特別演出を行う。そして、特別演出にて結果が示唆される当否判定で当選した場合に、該当選に起因して行われる特別遊技の後に特典状態に移行する確率は、特別演出にて結果が示唆されること無く当否判定で当選した場合に、該当選に起因して行われる特別遊技の後に特典状態に移行する確率よりも高い。また、予め定められた閾値を上回る当選確率の設定値である高設定値と、該閾値を下回る当選確率の設定値である低設定値とが設けられており、高設定値が現在の設定値である場合に行われる特別演出の信頼度は、低設定値が現在の設定値である場合に行われる特別演出の前記信頼度よりも低い。
【手続補正３】
【補正対象書類名】明細書
【補正対象項目名】０００９
【補正方法】変更
【補正の内容】
【０００９】
また、一般的には、現在の設定値が遊技者に有利になり、当否判定の当選確率が上がるに従い、演出の信頼度は高くなると考えられる。これに対し、上記構成における特別演出は、当否判定の当選確率が上がることにより信頼度が低下し得るものであり、上記構成によれば、従来にはない演出を提供できる。
なお、複数の態様を有する演出を、バリエーション演出とし、各態様のバリエーション演出は、信頼度が固有に定められていても良い。そして、演出手段は、一部の態様のバリエーション演出であって、他の態様の該バリエーション演出よりも平均的な信頼度が高いものを、特別演出として行っても良い。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
また、演出手段は、予告演出のうちの少なくとも一部を、特別演出として行っても良い。
上記構成によれば、予告演出としての特別演出を行うことで、遊技者を楽しませながらも、遊技者の遊技意欲の減退を抑制しつつ、弾球遊技機における現在の設定値を予想可能とすることができる。
【手続補正６】
【補正対象書類名】明細書
【補正対象項目名】００１４
【補正方法】変更
【補正の内容】
【００１４】
また、演出手段は、リーチ演出のうちの少なくとも一部を、特別演出として行っても良い。
なお、リーチ演出では、複数の変動エリアでの演出図柄の変動表示により当否判定の結果を報知する図柄演出で、リーチの状態で演出図柄が表示される。リーチの状態とは、複数の変動エリアのうちの１つで変動表示が行われていると共に、残りの変動エリアでは、いずれかの演出図柄が表示されており、該１つの変動エリアにていずれかの演出図柄が表示されると、これらの変動エリアに、当否判定で当選したことを示す演出図柄の組合せが表示される状態を意味する。
【手続補正書】
【提出日】令和3年11月11日(2021.11.11)
【手続補正１】
【補正対象書類名】特許請求の範囲
【補正対象項目名】全文
【補正方法】変更
【補正の内容】
【特許請求の範囲】
【請求項１】
被検眼の眼屈折力を自覚的に測定することで被検者の自覚眼屈折力を取得するための自覚式検眼装置であって、
各々の画素集合単位から、方向毎に異なる光を出射することで、物体が放つ光線を再現するライトフィールドディスプレイを有し、前記ライトフィールドディスプレイから出射された視標光束を被検眼に向けて投影することで、被検眼に視標画像を呈示する投光光学系と、
自覚的検査が実行される際に、前記被検眼に対する呈示距離、円柱度数の矯正量、および円柱軸の方向の少なくともいずれかの特徴値が互いに異なる複数の視標画像を、同時に、または順次に前記ライトフィールドディスプレイに出力させる制御手段と、
前記投光光学系の光路中に配置され、前記視標光束の光学特性を変化させる矯正手段と、
前記矯正手段を制御する矯正制御手段と、
前記複数の視標画像の中から前記被検者が回答した視標画像を示す回答視標情報を入力する入力手段と、
を備え、
前記矯正制御手段は、前記入力手段によって入力された前記回答視標情報に基づいて、前記矯正手段の設定を行うことを特徴とする自覚式検眼装置。
【請求項２】
請求項１の自覚式検眼装置であって、
前記複数の視標画像に対応する複数の視標情報を表示手段に表示させる表示制御手段を備え、
前記矯正制御手段は、前記表示手段に表示された前記複数の視標情報の中から前記入力手段によって選択された前記回答視標情報に基づいて、前記矯正手段の設定を行うことを特徴とする自覚式検眼装置。
【請求項３】
請求項２の自覚式検眼装置であって、
前記制御手段は、前記ライトフィールドディスプレイに出力させる前記複数の視標画像を変更させ、
前記表示制御手段は、前記制御手段によって、前記複数の視標画像の変更が行われた場合に、変更された前記複数の視標画像に対応する前記複数の視標情報を前記表示手段に表示させることを特徴とする自覚式検眼装置。
【請求項４】
請求項２又は３の自覚式検眼装置であって、
前記表示制御手段は、前記被検眼に呈示される前記複数の視標画像に対応する前記複数の視標情報のみを前記表示手段に表示させることを特徴とする自覚式検眼装置。
【請求項５】
各々の画素集合単位から、方向毎に異なる光を出射することで、物体が放つ光線を再現するライトフィールドディスプレイを有し、前記ライトフィールドディスプレイから出射された視標光束を被検眼に向けて投影することで、被検眼に視標画像を呈示する投光光学系と、
自覚的検査が実行される際に、前記被検眼に対する呈示距離、円柱度数の矯正量、および円柱軸の方向の少なくともいずれかの特徴値が互いに異なる複数の視標画像を、同時に、または順次に前記ライトフィールドディスプレイに出力させる制御手段と、
前記投光光学系の光路中に配置され、前記視標光束の光学特性を変化させる矯正手段と、
前記矯正手段を制御する矯正制御手段と、
を備え、
被検眼の眼屈折力を自覚的に測定することで被検者の自覚眼屈折力を取得するための自覚式検眼装置において用いられる自覚式検眼プログラムであって、前記自覚式検眼装置のプロセッサによって実行されることで、
前記複数の視標画像の中から前記被検者が回答した視標画像を示す回答視標情報を入力する入力ステップと、
前記矯正制御手段が、前記入力ステップによって入力された前記回答視標情報に基づいて、前記矯正手段の設定を行う矯正制御ステップと、
を前記自覚式検眼装置に実行させることを特徴とする自覚式検眼プログラム。
【手続補正書】
【提出日】令和3年11月11日(2021.11.11)
【手続補正１】
【補正対象書類名】特許請求の範囲
【補正対象項目名】全文
【補正方法】変更
【補正の内容】
【特許請求の範囲】
【請求項１】
被検眼の光学特性の自覚的検査に用いられる自覚式検眼装置であって、
各々の画素集合単位から、方向毎に異なる光を出射することで、物体が放つ光線を再現するライトフィールドディスプレイと、
制御部と、
を備え、
前記制御部は、
前記ライトフィールドディスプレイに呈示させる視標画像の前記被検眼に対する呈示距離を変化させることを特徴とする自覚式検眼装置。
【請求項２】
請求項１に記載の自覚式検眼装置であって、
前記制御部は、
前記被検眼の遠点よりも遠い呈示開始距離から、前記視標画像の呈示距離を変更することで、前記被検眼のディオプタの検査を実行することを特徴とする自覚式検眼装置。
【請求項３】
請求項１または２に記載の自覚式検眼装置であって、
前記制御部は、
前記被検眼の遠点よりも近い呈示開始距離から、前記視標画像の呈示距離を変更することで、前記被検眼のディオプタの検査を実行することを特徴とする自覚式検眼装置。
【請求項４】
請求項１から３のいずれかに記載の自覚式検眼装置であって、
前記制御部は、
視認可能な最も遠い呈示距離で前記被検者が前記視標画像を視認した際の、前記被検者による応答結果を入力すると共に、
前記応答結果が入力された際の前記視標画像の呈示距離に基づいて、前記被検眼のディオプタを算出し、
算出した前記ディオプタに基づいて検査結果を出力することを特徴とする自覚式検眼装置。
【請求項５】
請求項１から４のいずれかに記載の自覚式検眼装置であって、
前記制御部は、
前記被検眼に対する前記視標画像の呈示距離を変化させることで、視認可能な最も遠い呈示距離で前記被検者が前記視標画像を視認した際の前記呈示距離である遠点呈示距離と、視認可能な最も近い呈示距離で前記被検者が前記視標画像を視認した際の前記呈示距離である近点呈示距離とを、前記被検者による応答結果に基づいて取得し、
前記遠点呈示距離と前記近点呈示距離とに基づいて、前記被検者の明視域および調節力の少なくともいずれかを取得することを特徴とする自覚式検眼装置。
【手続補正書】
【提出日】令和3年11月5日(2021.11.5)
【手続補正１】
【補正対象書類名】明細書
【補正対象項目名】００７１
【補正方法】変更
【補正の内容】
【００７１】
図７の光源モジュール装置７７は、枠体７ａの内部に光源３、基板４、石英キャップ９及びヒートシンク１１が収められている。光源モジュール装置７７を構成する各部材の配置は、上述の光源モジュール装置７（図２Ｂ参照）と基本的に同じであるが、リフレクタ８を有していない点で異なっている。
【手続補正２】
【補正対象書類名】明細書
【補正対象項目名】００７３
【補正方法】変更
【補正の内容】
【００７３】
また、図示するように、石英キャップ９と筒体５の接続ポート５ｄとの間に空間が設けられ、Ｏリング１３が配設されている。筒体５の接続ポート５ｄにはＯリング１３用の三角溝５ｄ１が形成されているため、光源モジュール装置７７への流体の侵入を防止することができる。さらに、Ｏリング１３の位置は、ほとんど紫外光が照射されないので、Ｏリング１３の劣化を防止することができる。